(57)【要約】【課題】安定同位体含有比率が天然の値と異なる物質で構成した識別材料を用いる識別標識について、可視光を目視で観察することにより店頭などで簡易に識別が行えるようにする。【解決手段】物品に付与して物品の真贋を識別するための可視光による識別標識であって、識別標識が安定同位体含有比率が天然の値と異なる物質で構成した識別材料からなり、識別材料に光を照射する際にラマン効果により散乱されるストークス光または反ストークス光を、識別材料と同じ物質で且つ安定同位体比率が天然の値である物質で構成した非識別材料のストークス光及び反ストークス光を遮断するフィルターを介して目視で観察することにより、識別材料の存在を確認するようにしてなることを特徴とする可視光による識別標識、および、その識別標識による物品識別方法。【選択図】図３
2005062954.tif 000002
【特許請求の範囲】
【請求項１】
物品に付与して物品の真贋を識別するための可視光による識別標識であって、識別標識が安定同位体含有比率が天然の値と異なる物質で構成した識別材料からなり、識別材料に光を照射する際にラマン効果により散乱されるストークス光または反ストークス光を、識別材料と同じ物質で且つ安定同位体比率が天然の値である物質で構成した非識別材料のストークス光及び反ストークス光を遮断するフィルターを介して目視で観察することにより、識別材料の存在を確認するようにしてなることを特徴とする可視光による識別標識。
【請求項２】
物品に付与して物品の真贋を識別するための可視光による識別標識であって、識別標識が基材と基材に配置された安定同位体含有比率が天然の値と異なる物質で構成した識別材料からなり、識別材料に光を照射する際にラマン効果により散乱されるストークス光または反ストークス光を、識別材料と同じ物質で且つ安定同位体比率が天然の値である物質で構成した非識別材料のストークス光及び反ストークス光を遮断するフィルターを介して目視で観察することにより、識別材料の存在を確認するようにしてなることを特徴とする可視光による識別標識。
【請求項３】
物品に付与された、安定同位体含有比率が天然の値と異なる物質で構成した識別材料からなる識別標識の該識別材料に対して光を照射し、ラマン効果により散乱されるストークス光または反ストークス光を、識別材料と同じ物質で且つ安定同位体比率が天然の値である物質で構成した非識別材料のストークス光及び反ストークス光を遮断するフィルターを介して目視で観察することにより識別材料の存在を確認し、物品の真贋を識別することを特徴とする可視光による識別標識を用いる物品識別方法。
【請求項４】
物品に付与された、基材と基材に配置された安定同位体含有比率が天然の値と異なる物質で構成した識別材料からなる識別標識の該識別材料に対して光を照射し、ラマン効果により散乱されるストークス光または反ストークス光を識別材料と同じ物質で且つ安定同位体比率が天然の値である物質で構成した非識別材料のストークス光及び反ストークス光を遮断するフィルターを介して目視で観察することにより識別材料の存在を確認し、物品の真贋を識別することを特徴とする可視光による識別標識を用いる物品識別方法。
【請求項５】
請求項３または４に記載の物品識別方法において、可視光による識別標識の識別に加えて、前記識別材料を機械認識することにより物品の真贋を識別することを特徴とする可視光による識別標識を用いる物品識別方法。
【請求項６】
物品に付与して物品の真贋を識別するための可視光による識別標識であって、赤外可視変換蛍光体含有層と安定同位体含有比率が天然の値と異なる物質で構成した識別材料含有層を配置してなり、且つ、識別材料と同じ物質で且つ安定同位体含有比率が天然の値である物質で構成した非識別材料が強く吸収せず、識別材料が強く吸収する赤外光を識別標識中の識別材料含有層を通して赤外可視変換蛍光体含有層へ照射した際に可視光を発しないことを確認することで識別材料が存在することを確認するようにしてなることを特徴とする可視光による識別標識。
【請求項７】
請求項６に記載の可視光による識別標識において、前記赤外可視変換蛍光体含有層と前記安定同位体含有比率が天然の値と異なる物質で構成した識別材料含有層に加えて、前記識別材料を含まず、前記赤外光を強く吸収しない赤外透過材料含有層を配置してなることを特徴とする可視光による識別標識。
【請求項８】
請求項６または７に記載の可視光による識別標識において、前記赤外可視変換蛍光体含有層と前記安定同位体含有比率が天然の値と異なる物質で構成した識別材料含有層に加えて、前記識別材料を含まず、前記識別材料と同じ物質で且つ安定同位体含有比率が天然の値である物質で構成した非識別材料を含む非識別材料含有層を配置してなることを特徴とする可視光による識別標識。
【請求項９】
請求項６乃至８のいずれか１項に記載の可視光による識別標識において、前記識別材料含有層が可視光を透過することを特徴とする可視光による識別標識。
【請求項１０】
請求項６乃至９のいずれか１項に記載の可視光による識別標識において、前記赤外可視変換蛍光体含有層を構成する蛍光体が輝尽蛍光体であることを特徴とする可視光による識別標識。
【請求項１１】
赤外可視変換蛍光体含有層と安定同位体含有比率が天然の値と異なる物質で構成した識別材料含有層とを配置した可視光による識別標識を用いる物品識別方法であって、安定同位体含有比率が天然の値と異なる物質で構成した識別材料含有層を配置した識別標識中の識別材料含有層を通して、識別材料と同じ物質で且つ安定同位体含有比率が天然の値である物質で構成した非識別材料が強く吸収せず、識別材料が強く吸収する赤外光を、赤外可視変換蛍光体へ照射し、赤外可視変換蛍光体が可視光を発しないことを確認することにより識別材料の存在を確認することを特徴とする可視光による識別標識を用いる物品識別方法。
【請求項１２】
請求項１１に記載の可視光による識別標識を用いる物品識別方法において、前記非識別材料が強く吸収し、前記識別材料が強く吸収しない第二の赤外光を識別標識中の識別材料を通して赤外可視変換蛍光体へ照射し、赤外可視変換蛍光体が可視光を発することも確認することを特徴とする可視光による識別標識を用いる物品識別方法。
【請求項１３】
請求項１１または１２に記載の可視光による識別標識を用いる物品識別方法において、前記識別材料を含まず、前記赤外光を強く吸収しない赤外透過材料含有層も配置してなることを特徴とする可視光による識別標識を用いる物品識別方法。
【請求項１４】
請求項１１乃至１３のいずれか１項に記載の可視光による識別標識を用いる物品識別方法において、前記赤外可視変換蛍光体含有層及び前記安定同位体含有比率が天然の値と異なる物質で構成した識別材料含有層に加えて、前記識別材料を含まず前記非識別材料を含む非識別材料含有層も配置されており、前記識別材料含有層を通して前記赤外光及び前記第二の赤外光を赤外可視変換蛍光体へ照射し赤外可視変換蛍光体が可視光を発するか否かを確認するとともに、前記非識別材料含有層を通して前記赤外光を赤外可視変換蛍光体へ照射し赤外可視変換蛍光体が可視光を発することを確認し、且つ、前記第二の赤外光を赤外可視変換蛍光体へ照射し赤外可視変換蛍光体が可視光を発しないことを確認することを特徴とする可視光による識別標識を用いる物品識別方法。
【請求項１５】
請求項１１乃至１４のいずれか１項に記載の可視光による識別標識を用いる物品識別方法において、前記識別材料含有層が可視光を透過することを特徴とする可視光による識別標識を用いる物品識別方法。
【請求項１６】
非識別材料が強く吸収せず識別材料が強く吸収する赤外光を透過する識別対象物品の表面に、識別材料含有層と非識別材料含有層を配置してなる可視光による識別標識を用いる物品識別方法であって、該識別標識に、識別対象物品の下部から、前記赤外光を照射し、識別材料含有層及び非識別材料含有層の上方に赤外可視変換蛍光体含有層を置いて可視光を目視で観察して識別材料の有無を確認することにより物品の真贋を識別することを特徴とする可視光による識別標識を用いる物品識別方法。
【請求項１７】
請求項１１乃至１６のいずれか１項に記載の可視光による識別標識を用いる物品識別方法において、前記赤外可視変換蛍光体が輝尽蛍光体であることを特徴とする可視光による識別標識を用いる物品識別方法。
【請求項１８】
請求項１１乃至１７のいずれか１項に記載の可視光による識別標識を用いる物品識別方法において、可視光による識別標識の識別に加えて、前記識別材料を機械認識することにより物品の真贋を識別することを特徴とする可視光による識別標識を用いる物品識別方法。
【発明の詳細な説明】
【０００１】
【産業上の利用分野】
本発明は、可視光による識別標識及び物品識別方法に関し、より詳しくは識別材料として安定同位体含有比率を天然の値と異なる値に制御した物質を用いた識別標識における識別材料からの可視光を目視で観察し簡易に識別できるようにしてなる識別標識及び該識別標識を用いる物品識別方法に関する。
【０００２】
【従来の技術】
本発明者らは、視覚その他の知覚認識による簡易な真贋判定と機械認識による精密な真贋判定との両方に対応できる識別標識を先に開発している（特開２００３−２５７７５）。特開２００３−２５７７５の識別標識は、安定同位体の含有比率を天然の天然の値と異なる値に制御した物質を識別材料として用い、知覚認識による簡易な真贋判定と機械認識による精密な真贋判定との両方に対応できるようにしたもので、これによれば知覚認識と機械認識との両方により簡易且つ精密に物品の真贋判定を行うことができる。
【０００３】
【特許文献１】特開２００３−２５７７５号公報
【０００４】
この識別標識における知覚認識による真贋判定は、透かし、穿孔、エンボス、凹版印刷、シースルーレジスタ、あるいはプランシェットなどを例えば目視により認識して行われる。しかし、これら知覚認識の対象は識別材料の構成材料が安定同位体の含有比率を天然の値と異なる値に制御した物質であるか否かとは無関係であるため、知覚認識のみで正確な真贋判定を行うことはできない。すなわち、識別材料の構成材料が安定同位体の含有比率を天然の値と異なる値に制御した物質であるか否かはラマン分光法や赤外線吸収法などの機械認識による精密な真贋判定を行うことが必須であった。
【０００５】
図１は、それらのうち、基材すなわち物品に付与した透かしの薄肉部分に安定同位体の含有比率を天然同位体比率と異なる値に制御してなる物質を含む半透明インキを付与した例を示す図である。図１のような識別標識の場合、その知覚認識は、物品の片面に光を当てて、他面から薄肉部の透過率が高いことを目視で確認し、透かしを有することを知覚することにより行われる。
【０００６】
しかし、この方法では、安定同位体の含有比率を天然同位体含有比率と異なる値に制御していない物質を含む半透明インキを付与した透かしを有する場合にも同様な結果が得られる。このため、知覚認識に加え、安定同位体の含有比率を天然同位体含有比率と異なる値に制御した物質を含む半透明インキを用いているか否かまでを調べるためには、別途赤外線吸収法やラマン分光法などによる機械認識を行う必要があった。したがって、特開２００３−２５７７５の識別標識は、それ自体偽造防止用、真贋判定用として有効であるが、上記の点でさらに改良が必要である。
【０００７】
【発明が解決しようとする課題】
本発明は、特開２００３−２５７７５の技術における以上のような問題を解決するためになされたものであり、安定同位体の含有比率を天然同位体含有比率と異なる値に制御した物質を識別材料として用いた識別標識について、店頭などで、当該識別材料そのものを可視光により目視で観察して簡易に識別が行える識別標識及びこれを利用して物品を識別する方法を提供することを目的とする。
【０００８】
【課題を解決するための手段】
本発明は、（１）物品に付与して物品の真贋を識別するための可視光による識別標識であって、識別標識が安定同位体含有比率が天然の値と異なる物質で構成した識別材料からなり、識別材料に光を照射する際にラマン効果により散乱されるストークス光または反ストークス光を、識別材料と同じ物質で且つ安定同位体比率が天然の値である物質で構成した非識別材料のストークス光及び反ストークス光を遮断するフィルターを介して目視で観察することにより、識別材料の存在を確認するようにしてなることを特徴とする可視光による識別標識を提供する。
【０００９】
本発明は、（２）物品に付与して物品の真贋を識別するための可視光による識別標識であって、識別標識が基材と基材に配置された安定同位体含有比率が天然の値と異なる物質で構成した識別材料からなり、識別材料に光を照射する際にラマン効果により散乱されるストークス光または反ストークス光を、識別材料と同じ物質で且つ安定同位体比率が天然の値である物質で構成した非識別材料のストークス光及び反ストークス光を遮断するフィルターを介して目視で観察することにより、識別材料の存在を確認するようにしてなることを特徴とする可視光による識別標識を提供する。
【００１０】
本発明は、（３）物品に付与された、安定同位体含有比率が天然の値と異なる物質で構成した識別材料からなる識別標識の該識別材料に対して光を照射し、ラマン効果により散乱されるストークス光または反ストークス光を、識別材料と同じ物質で且つ安定同位体比率が天然の値である物質で構成した非識別材料のストークス光及び反ストークス光を遮断するフィルターを介して目視で観察することにより識別材料の存在を確認し、物品の真贋を識別することを特徴とする可視光による識別標識を用いる物品識別方法を提供する。
【００１１】
本発明は、（４）物品に付与された、基材と基材に配置された安定同位体含有比率が天然の値と異なる物質で構成した識別材料からなる識別標識の該識別材料に対して光を照射し、ラマン効果により散乱されるストークス光または反ストークス光を識別材料と同じ物質で且つ安定同位体比率が天然の値である物質で構成した非識別材料のストークス光及び反ストークス光を遮断するフィルターを介して目視で観察することにより識別材料の存在を確認し、物品の真贋を識別することを特徴とする可視光による識別標識を用いる物品識別方法を提供する。
【００１２】
本発明は、（５）物品に付与して物品の真贋を識別するための可視光による識別標識であって、赤外可視変換蛍光体含有層と安定同位体含有比率が天然の値と異なる物質で構成した識別材料含有層を配置してなり、且つ、識別材料と同じ物質で且つ安定同位体含有比率が天然の値である物質で構成した非識別材料が強く吸収せず、識別材料が強く吸収する赤外光を識別標識中の識別材料含有層を通して赤外可視変換蛍光体含有層へ照射した際に可視光を発しないことを確認することで識別材料が存在することを確認するようにしてなることを特徴とする可視光による識別標識を提供する。
【００１３】
本発明は、（６）赤外可視変換蛍光体含有層と安定同位体含有比率が天然の値と異なる物質で構成した識別材料含有層を配置した可視光による識別標識を用いる物品識別方法であって、安定同位体含有比率が天然の値と異なる物質で構成した識別材料含有層を配置した識別標識中の識別材料含有層を通して、識別材料と同じ物質で且つ安定同位体含有比率が天然の値である物質で構成した非識別材料が強く吸収せず、識別材料が強く吸収する赤外光を、赤外可視変換蛍光体へ照射し、赤外可視変換蛍光体が可視光を発しないことを確認することにより識別材料の存在を確認することを特徴とする可視光による識別標識を用いる物品識別方法を提供する。
【００１４】
本発明は、（７）非識別材料が強く吸収せず識別材料が強く吸収する赤外光を透過する識別対象物品の表面に、識別材料含有層と非識別材料含有層を配置してなる可視光による識別標識を用いる物品識別方法であって、該識別標識に、識別対象物品の下部から、前記赤外光を照射し、識別材料含有層及び非識別材料含有層の上方に赤外可視変換蛍光体含有層を置いて可視光を目視で観察して識別材料の有無を確認することにより物品の真贋を識別することを特徴とする可視光による識別標識を用いる物品識別方法を提供する。
【００１５】
【発明の実施の形態】
〈可視光による識別標識及び物品識別方法：ラマン散乱光の利用〉
本識別標識は、物品に付与して物品の真贋を識別するための可視光による識別標識であり、識別標識が安定同位体含有比率が天然の値と異なる物質で構成した識別材料からなる。そして、識別材料に光を照射する際にラマン効果により散乱されるストークス光または反ストークス光を、識別材料と同じ物質で且つ安定同位体比率が天然の値である非識別材料のストークス光及び反ストークス光を遮断するフィルターを介して目視で観察することにより識別材料の存在を確認するようにしてなることを特徴とする。
【００１６】
本識別標識は、安定同位体含有比率が天然の値と異なる物質で構成した識別材料で構成するが、識別材料を基材上に配置して構成してもよい。この場合、識別標識は基材と識別材料とで構成される。識別標識は物品に付与して用いられる。
その態様としては、（１）識別材料で構成した識別標識を物品に直かに付与してもよく、（２）基材と識別材料からなる識別標識を物品に付与してもよく、（３）物品に付ける商品タグなどに付与してもよい。
【００１７】
図２はその態様を説明する図である。図２（ａ）は識別材料からなる識別標識を識別対象物品に対して直かに付与する場合、図２（ｂ）は基材と識別材料とで構成される識別標識を識別対象物品に対して付与する場合を示している。（３）識別標識を物品に付ける商品タグなどに付与する場合は、図２（ａ）〜（ｂ）における識別対象物品が商品タグなどに相当することになる。この場合には、その識別標識を付与した商品タグなどを識別対象物品に付けることになる。
【００１８】
識別対象物品、あるいは商品タグなどに対する識別標識の付与は、付与された識別材料に光を照射でき、且つ、ラマン効果により散乱されるストークス光または反ストークス光を観察できる状態となるように付与する。識別標識は層状であるのが好ましい。識別標識における識別材料の面（識別のために照射する光を受ける面）の形状には、特に限定はなく、円形、楕円形、多角形、半円形、文字状その他適宜の形状とすることができる。基材と識別材料とで構成した識別標識における基材の形状についても同様である。
【００１９】
識別材料を構成する安定同位体含有比率が天然の値と異なる物質としては、物質を構成する元素の同位体含有比率を天然同位体比率と異なる値に制御してなる物質が用いられる。その例としては、水素、炭素、窒素及び酸素から選ばれた少なくとも一種の元素を含み、それら元素の一種または二種以上の元素について安定同位体比率を天然の値と異なる値に制御してなる物質を用いる。その例としては、尿素、ギ酸ナトリウム、炭酸水素ナトリウム、酢酸ナトリウムなどを挙げることができる。これら物質は識別材料として一種とは限らず、二種以上を併用してもよい。
【００２０】
このように、識別材料は、物質を構成する元素のうち少なくとも一種の元素の安定同位体含有比率を天然の値と異なる値に制御してなる物質からなる。本明細書中、識別材料とはこの意味であり、例えば尿素の場合、その構成元素である炭素、酸素、窒素及び水素のうちの少なくとも一種の元素の安定同位体含有比率を天然の値と異なる値に制御した尿素を意味する。また、本明細書中、非識別材料とは、物質としては識別材料の物質と同じで且つその安定同位体含有比率が天然の値である物質の意味であり、例えば識別材料が尿素の場合、その構成元素である炭素、酸素、窒素及び水素の安定同位体含有比率が天然の値である尿素を意味する。この点、後述〈可視光による識別標識及び物品識別方法：赤外可視変換蛍光体の利用〉における識別材料及び非識別材料についても同じである。
【００２１】
そして、本発明においては、識別材料に光を照射する際に発生するラマン散乱光、すなわちラマン効果により散乱されるストークス光または反ストークス光を目視により観察する。ラマン法は通常可視域乃至紫外域で適用されるが、本発明においては、そのうち可視域におけるラマン散乱光すなわちストークス光または反ストークス光を利用する。
【００２２】
材料に振動数ｆ０の可視光を照射すると、ラマン効果によってストークス光（振動数ｆ０−Δｆ）または反ストークス光（振動数ｆ０＋Δｆ）が散乱される。安定同位体含有比率を天然の値と異なる値に制御した物質のストークス光または反ストークス光は、該材料とは物質としては同じで且つ安定同位体含有比率が天然の値の物質からなる材料のそれとは異なり、散乱光のスペクトルピーク値に違いを生じる。例えば、尿素について、それを構成する炭素の同位体１３Ｃの含有比率を天然の値（１３Ｃ＝１．１％）と異なる値に制御してなる尿素の場合には、当該１３Ｃの含有比率が天然の値である尿素とは異なる周波数の光が散乱される。本発明においてはこの現象を利用するものである。
【００２３】
照射光としては通常レーザー光が用いられる。レーザー光を識別標識に照射して散乱光であるストークス光または反ストークス光を目視で観察する。その観察に際して、その散乱光はフィルターを通して観察することが必須であり、本発明において重要な要件である。フィルターとして、識別材料のストークス光または反ストークス光を透過し、照射光、非識別材料のストークス光または反ストークス光を遮断するようなフィルターを用いることにより、識別材料のストークス光または反ストークス光の存在を目視で確認し、識別標識として識別材料が用いられているか否かを簡易に認識することができる。
【００２４】
図３はフィルターを通してラマン散乱光を観察する態様を説明する図である。
図３のとおり、光を識別材料に照射し、散乱光をフィルターを通して目視で観察すると、識別材料の散乱強度ピークに相当する散乱光が確認され、これにより識別標識を識別することができる。フィルターとしては、干渉フィルターや音響光学フィルターなどを用いることもできる。図４はフィルターに求められる特性を説明する図である。
【００２５】
図４（ａ）は識別材料のストークス光の散乱強度を示す図、図４（ｂ）は非識別材料のストークス光の散乱強度を示す図である。ここで、照射光の波長をλ０、識別材料のみが強い散乱強度を示すストークス光の波長をλＳ２、非識別材料のみが強い散乱強度を示すストークス光の波長をλＳ１とする。波長λＳ３、λＳ４は識別材料及び非識別材料に共通する散乱光のものである。
【００２６】
図４（ｃ）に示すような透過率をもつフィルターを用いると、光源や非識別材料に起因する波長λ０、λＳ１、λＳ３、λＳ４の光が遮断され、波長λＳ２の光すなわち識別材料のストークス光を確実に観察することができる。これにより、識別標識に光を照射し、その散乱光を当該フィルターを透して観察し、対応するストークス光が観察されれば、識別標識は真正な識別材料であり、当該識別標識が付与された物品は真正な物品であると判別される。上記説明はストークス光のみに対して行ったが、反ストークス光に対しても同様である。
【００２７】
〈可視光による識別標識及び物品識別方法：赤外可視変換蛍光体の利用〉
本識別標識は、物品に付与して物品の真贋を識別するための可視光による識別標識であり、赤外可視変換蛍光体含有層と安定同位体含有比率が天然の値と異なる物質で構成した識別材料含有層を配置して構成される。そして、識別材料と同じ物質で且つ安定同位体含有比率が天然の値である物質で構成した非識別材料が強く吸収せず、識別材料が強く吸収する赤外光を識別標識中の識別材料含有層を通して赤外可視変換蛍光体含有層へ照射した際に可視光を発しないことを確認することで識別材料が存在することを確認するようにしてなることを特徴とする。
【００２８】
本識別標識は物品に付与して用いるが、ラマン散乱光の利用の可視光による識別標識の場合と同じく、（１）識別材料で構成した識別標識を物品に直かに付与してもよく、（２）基材と識別材料からなる識別標識を物品に付与してもよく、（３）物品に付ける商品タグなどに付与してもよい。
【００２９】
赤外可視変換蛍光体は、これに赤外光を照射すると可視光を放出する。赤外可視変換蛍光体としては、赤外光を照射すると可視光を放出する特性を有するものであれば用いられるが、輝尽蛍光体であることが好ましい。輝尽蛍光体の例としては、硫化カルシウム（ＣａＳ）にユーロピウム（Ｅｕ）及びサマリウム（Ｓｍ）を添加した赤外輝尽蛍光体（ＣａＳ：Ｅｕ，Ｓｍ）などが用いられる。
【００３０】
ここで、本明細書中、上記赤外可視変換蛍光体を含む層を「赤外可視変換蛍光体含有層」と言い、上記可視光を透過する安定同位体含有比率を天然の値と異なる値に制御した物質からなる識別材料を含む層を「識別材料含有層」と言い、識別材料を含まない赤外透過材料を含む層を「識別材料を含まない赤外透過材料含有層」と言う。これら含有層には必要に応じて適宜バインダー等が含まれる。
【００３１】
図５はこれら各層の配置態様例を示す図である。図５のとおり、赤外可視変換蛍光体含有層の上にそれぞれ、識別材料含有層と「識別材料を含まない赤外透過材料含有層」が配置される。赤外可視変換蛍光体含有層、識別材料含有層及び「識別材料を含まない赤外透過材料含有層」の形状には、特に限定はなく、円形、楕円形、多角形、半円形その他適宜の形状とすることができる。
【００３２】
ここで、例えば図６（ａ）に示すような光源からの光のうち、識別材料は波長λ２、λ３、λ４の赤外光を強く吸収し、非識別材料は波長λ１、λ３、λ４の赤外光を強く吸収するとする。すると、非識別材料による光吸収強度は図６（ｂ）のようになり、波長λ２の赤外光は透過する。当該波長λ２の赤外光は識別材料の識別に寄与する吸収ピークに相当する赤外光である。一方、識別材料による光吸収強度は図６（ｃ）のようになり、波長λ１の赤外光は透過する。以下、適宜、これら波長λ２の赤外光、波長λ１の赤外光を例にして説明する。
【００３３】
図７〜８は、図５の配置態様例で識別材料含有層の有無を目視で観察する態様を説明する図である。図７のとおり、識別材料含有層の有無を目視で観察する場合、識別材料含有層及び「識別材料を含まない赤外透過材料含有層」の側から識別材料の識別に寄与する吸収ピークに相当する赤外光〔例えば図６（ｃ）の波長λ２の赤外光〕を照射する。識別に寄与する吸収ピークに相当する赤外光とは、識別材料が強く吸収し、識別材料と同じ物質で且つ安定同位体含有比率が天然の値である物質で構成した非識別材料が強く吸収しないような赤外光である。この赤外光は、識別材料含有層には吸収されるので、その下の赤外可視変換蛍光体含有層からは可視光は放出されず、「識別材料を含まない赤外透過材料含有層」は透過するので、その下の赤外可視変換蛍光体含有層からは可視光が放出される。
この可視光を目視で観察して識別材料の有無を確認することにより本識別標識を付与した識別対象物品の真贋を識別することができる。
【００３４】
上記「識別材料を含まない赤外透過材料含有層」における識別材料を含まない赤外透過材料は、上記赤外光を吸収しない材料である必要があり、非識別材料（すなわち、識別材料を構成する物質と物質としては同じで且つ安定同位体含有比率が天然の値の物質）であることが好ましい。本明細書中「識別材料を含まない赤外透過材料含有層」の当該赤外透過材料として非識別材料を用いる場合を「非識別材料含有層」と言う。非識別材料含有層には必要に応じて適宜バインダー等が含まれる。
【００３５】
図８のとおり、「非識別材料含有層」の場合、非識別材料に特有の吸収ピークに相当する赤外光〔非識別材料に強く吸収され識別材料に強く吸収されないような赤外光、例えば図６（ｂ）の波長λ１の赤外光〕を識別材料含有層及び非識別材料含有層の側から照射する。すると、波長λ１の赤外光は、非識別材料含有層では吸収されて赤外可視変換蛍光体含有層に届かないが、識別材料含有層では吸収されずに赤外可視変換蛍光体含有層に達し、可視光が放出される。これにより、前記の場合（図７）とは明暗が逆となり、その可視光を目視で観察して識別材料の有無を確認することにより、より確実に本識別標識を付与した識別対象物品の真贋を識別することができる。
【００３６】
波長λ２の赤外光や波長λ１の赤外光としては、ランプ等からの赤外光を含む光源からの光をフィルターに透過させた光やレーザー光などを用いることができる。フィルターとしては、バンドパスフィルターや音響光学フィルターなどを用いることができる。
【００３７】
以上のとおり、ラマン散乱光を利用する識別標識及び赤外可視変換蛍光体を利用する識別標識によれば、可視光により目視で簡易に物品の真贋を識別できるが、これに加えてラマン分光法や赤外吸収法による機械認識による識別を行ってもよい。すなわち、ラマン散乱光を利用する識別標識及び赤外可視変換蛍光体を利用する識別標識で用いる識別材料（安定同位体含有比率が天然の値と異なる物質で構成）の振動スペクトルは、非識別材料の振動スペクトルとは異なるので、識別材料の振動スペクトルを機械認識することにより、物品の真贋判定をさらに確実に行うことができる。このように、本発明によれば、可視光による識別に加えて、機械認識による識別も行えるので、簡易且つ確実な実用性の高い識別標識とすることができる。
【００３８】
本発明に係るラマン散乱光利用の可視光による識別標識及び赤外可視変換蛍光体利用の可視光による識別標識は各種材料からなる基材に対して付与される。すなわち、基材としての、硬質紙、その他の各種紙類や各種プラスチック、例えばアクリル樹脂、ポリエステル樹脂、ポリオレフィン（ポリ塩化ビニル等を含む）樹脂、ポリアミド樹脂、ポリウレタン樹脂、ポリカーボネート樹脂等の合成樹脂、またアルミニウム、アルミニウム合金などの金属に対して識別標識を付与する。基材は物品に付ける商品タグでもよい。この場合には、その商品タグを物品に対して、例えば荷札のように付けることで識別標識として用いられる。
【００３９】
基材は、以下に述べる真贋を識別する物品そのものでもよい。この場合は、前述図２（ａ）のように、基材を介しないで物品そのものに識別材料により構成した識別標識を付与する場合に相当している。特に以下で述べる（ｅ）シート類や（ｆ）カード類は真贋を識別する物品そのものであるので、それらシート類やカード類に対して識別標識を直かに付与することができる。
【００４０】
本発明の識別標識を付与する物品すなわち識別対象物品としては、識別標識の付与が必要な物品であれば限定はなく、その例としては、下記（ａ）〜（ｆ）のような例を挙げることができる。これらは目的別あるいは形状別などで相互に重複する例もあるが、見方を変えて例示している。
（ａ）ブランド品として鞄、靴、財布、装飾品、衣類、時計、指輪、ネックレスなど。（ｂ）著作権保護対象物としてＣＤ、光ディスク、コンピュータソフトなど。（ｃ）宝石類、貴金属等として硬貨、貴金属塊、社員章、タグ、絵画、美術品、著名人の使用品、医薬品など。（ｄ）金券として紙幣、印紙、切手、商品券、債券、株券、手形、小切手、証券、図書券など。（ｅ）シート類として旅券（パスポート）、各種免許証、身分証明書、名刺、スポーツ等の観戦用チケット、観劇等用チケット、処方箋、診断書、検査票、公文書など。（ｆ）カード類としてクレジットカード、テレホンカード、鉄道やバス等の交通機関で使用される乗車券又は乗車カード、ハイウェイカード、パチンコカードその他の各種機能、機構を組み込んだカード類など。
【００４１】
このうち、上記（ｅ）のシート類自体の材質には限定はなく、通常硬質紙その他各種紙類が使用され、プラスチックも使用される。また、上記（ｆ）のカード類自体の材質には限定はなく、アクリル樹脂、ポリエステル樹脂、ポリオレフィン（ポリ塩化ビニル等を含む）樹脂、ポリアミド樹脂、ポリウレタン樹脂、ポリカーボネート樹脂等の合成樹脂（プラスチック）のほか、アルミニウム（合金を含む）などの金属や紙類などの各種材料が使用される。
【００４２】
【実施例】
以下、実施例に基づき本発明をさらに詳しく説明するが、本発明が実施例に限定されないことはもちろんである。
【００４３】
〈実施例１〉
本例の識別標識は、ポリエチレン製の識別対象物品の表面にギ酸ナトリウムを付与した後、ポリエチレンフィルムで表面を保護して構成される。ギ酸ナトリウムとして、天然同位体比のギ酸ナトリウム〔ＨＣＯＯＮａ（２Ｈ＝０．０１５％）〕すなわち非識別材料と、重水素２Ｈ（＝Ｄ）の含有比率を９９％に制御した２Ｈ−ギ酸ナトリウム〔ＨＣＯＯＮａ（２Ｈ＝９９％）〕すなわち識別材料との二種類を用意し、そのそれぞれを識別標識として、ポリエチレン製の物品上に配置した。また、反ストークス光のみを通すバンドパスフィルターとして、石英基板に金属薄膜と誘電体薄膜を積層させた干渉フィルターを用意した。
【００４４】
ラマン分光装置を用い、波長７８５ｎｍ、出力３５０ｍＷのレーザー光を、前述図３に示すように、上記２種類の識別標識へ照射し、散乱光を上記バンドパスフィルターを通してラマンスペクトルを測定すると、図９に示すような結果が得られる。これを目視で観察すると、２Ｈ−ギ酸ナトリウム〔ＨＣＯＯＮａ（２Ｈ＝９９％）〕を用いた識別標識の場合には、図９中散乱強度ピークに相当する赤色の散乱光が確認され、天然同位体比のギ酸ナトリウム〔ＨＣＯＯＮａ（２Ｈ＝０．０１５％）〕を用いた識別標識の場合には散乱光が確認されない。この違いにより、簡易且つ迅速に、２Ｈ−ギ酸ナトリウム〔ＨＣＯＯＮａ（２Ｈ＝９９％）〕を用いた識別標識を識別することができる。
【００４５】
〈実施例２〉
図１０は本実施例を示す図で、図１０（ａ）は平面図、図１０（ｂ）は図１０（ａ）中Ａ−Ａ線断面図である。図１０のとおり、本例の識別標識は、赤外可視変換蛍光体含有層の表面に、Ｔ字状に配置した識別材料含有層と、それを囲んだ識別材料を含まない赤外透過材料含有層を配置して構成される。図１０（ｂ）のとおり、識別材料の識別に関与する吸収ピークに相当する波長λ２の赤外光を識別材料含有層及び赤外透過材料含有層の側から照射する。すると、波長λ２の赤外光は、識別材料含有層を配置した部分では、吸収されて赤外可視変換蛍光体含有層に届かないが、識別材料を含まない赤外透過材料含有層を配置した部分では、吸収されずに赤外可視変換蛍光体含有層に達し、可視光が放出される。この放出可視光を目視で観察することにより、Ｔ字状に配置した識別材料含有層が有ることが確認される。もし、放出可視光が観察されないか、Ｔ字状とは異なる形状が観察される場合には偽造品であることが発見される。
【００４６】
ここで、前述のとおり、識別材料を含まない赤外透過材料含有層は非識別材料含有層であることが好ましい。この場合、上記の確認と併せて、波長λ１の赤外光を識別材料含有層及び非識別材料含有層の側から照射する。すると、波長λ１の赤外光は、非識別材料含有層を配置した部分では吸収されて赤外可視変換蛍光体含有層には届かないが、識別材料含有層を配置した部分では吸収されずに赤外可視変換蛍光体含有層に達し、可視光が放出される。図１０の構成例では、識別材料があるＴ字状の部分のみで可視光が放出され、上記の確認の場合とは明暗が逆のＴ字状の標識が目視で観察され、確認される。
【００４７】
《実施例３〜８》
実施例３〜８の識別標識は、赤外可視変換蛍光体含有層の表面に、識別材料含有層と非識別材料含有層を配置することで構成し、付与対象物品に付与する例である。非識別材料含有層に代えて「識別材料を含まない赤外透過材料含有層」を配置する場合も同様である。
【００４８】
〈実施例３：識別標識の配置例１〉
図１１〜１２は識別標識の配置例１を示す図である。図１１〜１２のとおり、識別対象物品（可視光を透過しない）の面上に赤外可視変換蛍光体含有層を配置し、その上に可視光を透過する識別材料含有層と非識別材料含有層を配置する。
図１１〜１２においては、赤外可視変換蛍光体含有層を識別材料含有層の下部と非識別材料含有層の下部とに別個に配置しているが、両層に共通して配置してもよいことはもちろんであり、この点以下の配置態様の場合も同様である。
【００４９】
まず、図１１のとおり、本識別標識に波長λ２の赤外光を照射すると、識別材料含有層は透過せず、非識別材料含有層は透過するので、非識別材料含有層側の赤外可視変換蛍光体含有層から可視光が放出される。そこで、この可視光を目視で観察して識別材料の有無を確認することにより、本識別標識を付与した識別対象物品の真贋を識別することができる。一方、図１２のとおり、本識別標識に波長λ１の赤外光を照射すると、非識別材料含有層は透過せず、識別材料含有層は透過するので、識別材料含有層側の赤外可視変換蛍光体含有層から可視光が放出される。そこで、この可視光を目視で観察して識別材料の有無を確認することにより、本識別標識を付与した識別対象物品の真贋を識別することができる。
【００５０】
〈実施例４：識別標識の配置例２〉
図１３は識別標識の配置例２を示す図である。図１３のとおり、識別対象物品（可視光を透過する）の面上に赤外可視変換蛍光体含有層を配置し、その上に識別材料含有層と非識別材料含有層を配置する。識別標識の配置例１とは識別対象物品が可視光を透過する点で異なる。また、本配置例２では、識別材料含有層及び非識別材料含有層が可視光を透過しないものでもよい。本識別標識に波長λ２の赤外光を照射すると、識別材料含有層は透過せず、非識別材料含有層は透過するので、非識別材料含有層側の赤外可視変換蛍光体含有層から可視光が放出される。識別対象物品は可視光を透過するので、その可視光を識別対象物品の下部から目視で観察して識別材料の有無を確認することにより、本識別標識を付与した識別対象物品の真贋を識別することができる。
【００５１】
〈実施例５：識別標識の配置例３〉
図１４は識別標識の配置例３を示す図である。図１４のとおり、識別対象物品（波長λ２の赤外光を透過し且つ可視光を透過する）の面上に可視光を透過する識別材料含有層と非識別材料含有層を配置し、その上に赤外可視変換蛍光体含有層を配置する。本識別標識に波長λ２の赤外光を識別対象物品の下部から照射すると、識別材料含有層は透過せず、非識別材料含有層は透過するので、非識別材料含有層側の赤外可視変換蛍光体含有層から可視光が放出される。識別対象物品は可視光を透過するので、この可視光を識別対象物品の下部から目視で観察して識別材料の有無を確認することにより、本識別標識を付与した識別対象物品の真贋を識別することができる。
【００５２】
〈実施例６：識別標識の配置例４〉
図１５は識別標識の配置例４を示す図である。図１５のとおり、識別対象物品（波長λ２の赤外光を透過し且つ可視光を透過する）中に、赤外可視変換蛍光体含有層を配置し、その上に識別材料含有層と非識別材料含有層を配置する。本識別対象物品に上部から波長λ２の赤外光を照射すると、識別材料含有層は透過せず、非識別材料含有層は透過するので、非識別材料含有層側の赤外可視変換蛍光体含有層から可視光が放出される。識別対象物品は可視光を透過するので、この可視光を識別対象物品の下部から目視で観察して識別材料の有無を確認することにより、本識別標識を付与した識別対象物品の真贋を識別することができる。
【００５３】
〈実施例７：識別標識の配置例５〉
図１６は識別標識の配置例５を示す図である。図１６のとおり、識別対象物品の構成材料（波長λ２の赤外光を透過し且つ可視光を透過する）中に、赤外可視変換蛍光体を分散させる。その上に、同じく識別対象物品の構成材料中に識別材料を分散させ、その分散層と対にして非識別材料含有層を配置する。本識別対象物品に上部から波長λ２の赤外光を照射すると、識別材料含有層は透過せず、非識別材料含有層は透過するので、非識別材料含有層側の赤外可視変換蛍光体分散層から可視光が放出される。この可視光を下部から目視で観察して識別材料の有無を確認することにより、本識別標識を付与した識別対象物品の真贋を識別することができる。
【００５４】
〈実施例８：識別標識の配置例６〉
図１７は識別標識の配置例５を示す図である。図１７のとおり、識別対象物品（波長λ２の赤外光を透過する）の表面に、識別材料含有層と非識別材料含有層を配置する。赤外可視変換蛍光体分散層は、識別標識とは別個に用意し、目視での観察時に用いる。本識別標識に、識別対象物品の下部から、波長λ２の赤外光を照射すると、識別材料含有層は透過せず、非識別材料含有層は透過するので、識別材料含有層及び非識別材料含有層の上方に赤外可視変換蛍光体分散層を置くと、非識別材料含有層側の赤外可視変換蛍光体分散層から可視光が放出される。
この可視光を目視で観察して識別材料の有無を確認することにより、本識別標識を付与した識別対象物品の真贋を識別することができる。
【００５５】
【発明の効果】
本発明によれば、安定同位体含有比率が天然の値と異なる物質で構成した識別材料を用いる識別標識について、店頭などで、可視光域の光を目視で観察することにより簡易に識別を行うことができる。
【図面の簡単な説明】
【図１】透かしの薄肉部分に安定同位体の含有比率を天然同位体比率と異なる値に制御してなる物質を含む半透明インキを付与した例を示す図（先行技術）
【図２】ラマン散乱光利用の識別標識の構成態様を説明する図
【図３】フィルターを通してラマン散乱光を観察する態様を説明する図
【図４】ラマン散乱光を観察するに際してフィルターに求められる特性を説明する図
【図５】赤外可視変換蛍光体利用の識別標識の構成態様を説明する図
【図６】非識別材料及び識別材料の光吸収強度等を説明する図
【図７】図５の配置態様例で識別材料含有層の有無を目視で観察する態様を説明する図
【図８】図５の配置態様例で「識別材料を含まない赤外透過材料含有層」として非識別材料含有層を用いる場合の態様を説明する図
【図９】実施例１を示す図
【図１０】実施例２を示す図
【図１１】実施例３を示す図
【図１２】実施例３を示す図
【図１３】実施例４を示す図
【図１４】実施例５を示す図
【図１５】実施例６を示す図
【図１６】実施例７を示す図
【図１７】実施例８を示す図
【図１】
2005062954.tif 000003
【図２】
2005062954.tif 000004
【図３】
2005062954.tif 000005
【図４】
2005062954.tif 000006
【図５】
2005062954.tif 000007
【図６】
2005062954.tif 000008
【図７】
2005062954.tif 000009
【図８】
2005062954.tif 000010
【図９】
2005062954.tif 000011
【図１０】
2005062954.tif 000012
【図１１】
2005062954.tif 000013
【図１２】
2005062954.tif 000014
【図１３】
2005062954.tif 000015
【図１４】
2005062954.tif 000016
【図１５】
2005062954.tif 000017
【図１６】
2005062954.tif 000018
【図１７】
2005062954.tif 000019